(57)【要約】【課題】繰り返し使用でき、おにぎりの成型作業をスムーズにおこなうことができ、おにぎりを包装したままで冷凍および加熱可能なおにぎり成型包装具を提供する。【解決手段】おにぎり成型包装具１は、全体が所定硬度のシリコーンゴムで一体成型されている。米飯を収納可能な本体１０の開口には、外向きに蓋２０が連設され、１つの蓋２０には止め輪３０が連設されている。蓋２０を内向きに折り曲げて本体１０の開口に被せ、止め輪３０を本体１０に引っ掛けると、開口の閉鎖状態が保持される。この状態で成型包装具１を握って米飯の形を整えておにぎりを作る。シリコーンゴムでできているため、強度が良好で繰り返し使用でき、かつ耐熱性もあるためそのまま冷凍および加熱可能である。止め輪３０で開口が閉鎖されるため、米飯がはみ出るのが防止され、おにぎりの成型が容易である。止め輪３０を本体１０から外すと、復元弾性で蓋２０が自動的に開く。【選択図】図１
0003164198.tif 000002
【実用新案登録請求の範囲】
【請求項１】
おにぎりの成型と包装に用いられるおにぎり成型包装具であって、
底壁および底壁の周縁から立ち上がる側壁を有して米飯を収納可能な本体と、
前記本体の側壁の上縁に外向きに連設される一または複数の蓋と、
前記少なくとも一の蓋の先端部に連設される止め輪と、からなり、
前記本体、蓋および止め輪は、シリコーンゴムにより一体成型されており、
前記蓋を内向きに折り曲げて前記本体の開口に被せて前記止め輪を本体に引っ掛けると、本体の開口の閉塞状態が保持され、かつ前記止め輪を前記本体から取り外すと、シリコーンゴムの復元弾性により前記蓋は外向きに開いて本体の開口が開放されるおにぎり成型包装具。
【請求項２】
ＪＩＳ  Ｋ  ６２５３に基づくタイプＡデュロメータ硬度が４０〜７０であり、肉厚が０．３〜１．５ｍｍである請求項１に記載のおにぎり成型包装具。
【考案の詳細な説明】
【技術分野】
【０００１】
この考案は、おにぎりの成型と包装の双方に用いることが可能な、おにぎり成型包装具に関する。
【背景技術】
【０００２】
おにぎりを手で成型する際に、米飯に直接手を触れると衛生面で問題がある。
そのため特許文献１のように、合成樹脂フィルム等からなる三角形状のおにぎり成型袋に米飯を入れて、その上から手で握って成型作業をおこなうことが知られている。
【０００３】
このようなおにぎり成型袋は、できあがったおにぎりの包装にもなり、そのまま持ち運びすることが可能である。
おにぎりを食した後の袋は、米飯がこびりついて取れにくく、また素材である合成樹脂フィルムも破れやすいため、通常は使い捨てされる。
【先行技術文献】
【特許文献】
【０００４】
【特許文献１】特開平８-２１４８０６号公報
【考案の概要】
【考案が解決しようとする課題】
【０００５】
しかし、このように袋が使い捨てられるのは無駄が多いし、その処理等を考えると環境への負荷も大きいため好ましくない。
【０００６】
また、この種の袋ではおにぎり成型時にもその開口は開いたままであるから、袋の上から力を加えるとその開口から米飯がはみ出るなどして、成型作業がスムーズにおこなわれないことがある。
【０００７】
さらに、おにぎりを冷凍保存して他日食したい場合であっても、袋の素材となる合成樹脂フィルムに耐熱性がない場合には、袋に入れたまま冷凍庫等により冷凍したり、電子レンジ等により加熱したりできないため不便である。
【０００８】
そこでこの考案の解決すべき課題は、おにぎりの成型と包装の双方に用いることが可能なおにぎり成型包装具について、繰り返し使用できるようにすること、おにぎり成型作業をスムーズにおこなえるようにすること、およびおにぎりを包装したままで冷凍および加熱できるようにすることである。
【課題を解決するための手段】
【０００９】
上記した課題を解決するため、考案にかかるおにぎり成型包装具を、底壁および底壁の周縁から立ち上がる側壁を有して米飯を収納可能な本体と、本体の側壁の上縁に外向きに連設される一または複数の蓋と、少なくとも一の蓋の先端部に連設される止め輪と、からなるものとしたのである。
そして、その全体がシリコーンゴムにより一体成型されているものとしたのである。
【００１０】
さらに、蓋を内向きに折り曲げて本体の開口に被せ止めて輪を本体に引っ掛けると、本体の開口の閉塞状態が保持されるようにしたのである。
かつ、本体の開口が閉塞された状態で止め輪を本体から取り外すと、シリコーンゴムの復元弾性により蓋は外向きに開いて本体の開口が開放されるようにしたのである。
【００１１】
このおにぎり成型包装具は、ＪＩＳ  Ｋ  ６２５３に基づくタイプＡデュロメータ硬度が４０〜７０であり、肉厚が０．３〜１．５ｍｍであるのが好ましい。
【考案の効果】
【００１２】
考案にかかるおにぎり成型包装具は、素材がシリコーンゴムであるため合成樹脂フィルム等と比べて強度が大きく、また米飯がこびりつきにくい。したがって、複数回使用しても破損するおそれがなく衛生的でもある。
【００１３】
同様に素材がシリコーンゴムであるため耐熱性が高く、おにぎりを包装したままで冷凍保存し、また電子レンジ等で加熱することができる。
【００１４】
また、おにぎり成型包装具の本体の開口に蓋を被せた状態で、本体に止め輪を引っ掛けて開口の閉塞状態を保持できるため、開口から米飯がはみ出ることが防止され、おにぎりの成型をスムーズにおこなうことができる。
成型したおにぎりは、おにぎり成型包装具に包装されたままで持ち運び可能であり、持ち運びの際にも米飯がはみ出ることが防止される。
【図面の簡単な説明】
【００１５】
【図１】おにぎり成型包装具の斜視図
【図２】おにぎり成型包装具の平面図
【図３】蓋を閉じた状態のおにぎり成型包装具の（ａ）は正面斜視図、（ｂ）は背面斜視図
【図４】おにぎり成型包装具からおにぎりを取り出す状態を示す斜視図
【図５】おにぎり成型包装具の他の例の平面図
【考案を実施するための形態】
【００１６】
以下、図面を参照しつつこの考案の実施形態について説明する。
図１および図２に示す実施形態のおにぎり成型包装具１は、本体１０と蓋２０と止め輪３０とからなり、全体がシリコーンゴムにより一体成型されている。
【００１７】
おにぎり成型包装具１の本体１０は、平面視略三角形の底壁１１と、底壁１１の周縁にほぼ垂直に連設される側壁１２とからなって、上方が開口している。この側壁１２は底壁１１の外縁に沿う三角環形になっている。
この本体１０は自立可能であり、かつその開口から米飯を収納可能となっている。ここで本体１０の肉厚は特に限定されないが、保形性を高めるため若干厚めが好ましく、たとえば０．７ｍｍ〜１．５ｍｍである。
【００１８】
おにぎり成型包装具１の各蓋２０は、本体１０の側壁１２の上縁に開口に被さらないように外向きに連設されている。ここで蓋２０は３つあってそれぞれ本体１０の底壁１１とほぼ相似形であり、かつ側壁１２の三角環の各辺と一対一に接続されている。
図１のように、各蓋２０はその先端に向けて若干下り勾配に傾斜している。
【００１９】
また３つの蓋２０のうち、１つの蓋２０の先端部は略三角形に切り欠かれて、切り欠き部２１が形成されている。
さらに、各蓋２０と本体１０との接続箇所は薄肉に形成されることで、各蓋２０は本体１０に対して容易に折り曲げられるようになっている。
ここで蓋の肉厚は特に限定されないが、柔軟性を高めるため若干薄めが好ましく、たとえば０．３ｍｍ〜１ｍｍである。
【００２０】
おにぎり成型包装具１の止め輪３０は、３つの蓋２０のうち、１つの蓋２０の先端部に連設されている。止め輪３０は平面視が略方環形であって、その外周縁および内周縁が厚肉に形成されて補強部３１となっている。このため止め輪３０を引っ張るなどして変形させても、容易には破断しないようになっている。
ここで止め輪３０の補強部３１を除いた肉厚は特に限定されないが、たとえば蓋２０の肉厚と同程度である。補強部３１については、たとえば本体１０の肉厚と同程度である。
【００２１】
おにぎり成型包装具１は、その全体が適度な柔軟性および保形性を有する状態に硬度が調節されている。
具体的には、ＪＩＳ  Ｋ  ６２５３に基づくタイプＡデュロメータ硬度が４０〜７０であるのが好ましい。
【００２２】
考案にかかるおにぎり成型包装具１の構成は以上のようであり、次にその使用法について説明する。
図１の状態のおにぎり成型包装具１の本体１０に米飯を収納し、ついで切り欠き部２１のある蓋２０、通常の蓋２０、止め輪３０が連設された蓋２０の順に内向きに折り曲げて、それぞれを本体１０の開口に被せる。
【００２３】
このように各蓋２０を本体１０の開口に被せた状態で、さらに止め輪３０を引っ張ってその輪の中に本体１０の一部をくぐらせ、止め輪３０を本体１０に引っ掛ける。
すると、図３のような状態になって、止め輪３０によって蓋２０が押さえられて、本体１０の開口の閉鎖状態が保持される。
【００２４】
この状態で、米飯をおにぎり成型包装具１ごと手で握って形を整え、おにぎりを成型する。できあがったおにぎりは、おにぎり成型包装具１に包装されたまま持ち運びしたり、冷凍庫等で冷凍保存したりする。
冷凍保存した場合は、おにぎり成型包装具１はシリコーンゴムからできて耐熱性を有するため、そのまま電子レンジ等で加熱できる。また、シリコーンゴムは断熱性を有するため、おにぎりの熱が手に伝わることがなく、手が熱くならない。
【００２５】
ここでおにぎり成型包装具１は、シリコーンゴムからできて適度な柔軟性および弾性を有するため、収納された米飯を握っておにぎりへと成型しやすくなっている。
また、本体１０の開口の閉鎖状態が保持されているため、おにぎり成型時に誤って開口から米飯がはみ出ることもない。
【００２６】
おにぎりを食する際には、まず図３の状態からおにぎり成型包装具１の止め輪３０を本体１０から取り外す。
すると各蓋２０は、シリコーンゴムの素材の復元弾性により外向きに開いた状態に戻り、本体１０の開口が自動的に開放されておにぎりが現れる。
【００２７】
図４のように、切り欠き部２１が設けられた蓋２０でおにぎりＲの上を押さえながら、本体１０を裏返しになる方向に撓ませると、おにぎりＲが持ち上がって手を汚さずに食することができる。
切り欠き部２１の箇所からおにぎりＲが露出しているため、蓋２０が邪魔にならず食べやすくなっている。なお、切り欠き部２１は省略してもよい。
【００２８】
こうして使い終わったおにぎり成型包装具１は、水洗いするなどして繰り返し使用することができる。
おにぎり成型包装具１は、シリコーンゴムからできているため、米飯がこびりつかず衛生的であり、かつ強度も繰り返しの使用に耐えうるものとなっている。
【００２９】
図５に他の例のおにぎり成型包装具１を示す。この例では、本体１０は、底壁１１が平面視略正方形であり側壁１２がこれに対応して正方環形となっている。
蓋２０も、本体１０の底壁１１と相似形の略正方形であり、かつ側壁１２の方環の上辺に一対一に連設されて計４つ設けられている。
４つの蓋２０のうちの一つの蓋２０には、止め輪３０が連設されている。
その作用等については、図１〜図４の場合と同様である。
【００３０】
おにぎり成型包装具１の本体１０、蓋２０および止め輪３０の形状は、上記実施形態に限定されない。
たとえば、本体１０の底壁１１を円形、楕円形、多角形（５角形以上）とし、これに対応して側壁１２を円環形、楕円環形、多角環形としてもよい。
蓋２０は、本体１０の各種形状の底壁１１と相似形としてもよいし、別の形状としてもよい。止め輪３０も、円環形、楕円環形等としてもよい。
要は、底壁１１と側壁１２からなる本体１０に米飯を収納可能であり、本体１０の開口を蓋２０により閉鎖可能であり、かつ止め環３０により閉鎖状態を保持できればよい。
また、おにぎり成型包装具１は、マッシュポテト等、米飯以外の食品を成型包装してもよいことは無論である。
【符号の説明】
【００３１】
１  おにぎり成型包装具
１０  本体
１１  底壁
１２  側壁
２０  蓋
２１  切り欠き部
３０  止め輪
３１  補強部
Ｒ  おにぎり
【図１】
0003164198.tif 000003
【図２】
0003164198.tif 000004
【図３】
0003164198.tif 000005
【図４】
0003164198.tif 000006
【図５】
0003164198.tif 000007